(57)【要約】【課題】本発明は、投射型表示装置の使用、設置状況によらずさまざまな位置にいる視聴者に向けて音声を出力する事を可能にし、更に投射型表示装置の小型化を目的とする。【解決手段】この発明にかかる投射型表示装置は、投射レンズ３が配置された映像光出射口１００を有する筐体２と、映像光出射口１００に開閉自在に装着され、投射レンズ３を保護するレンズカバー４とを備え、レンズカバー４は、音声信号を受けて音声を出力するスピーカー５を備える。【選択図】図１
2011022225.tif 000002
【特許請求の範囲】
【請求項１】
投射レンズが配置された映像光出射口を有する筐体と、
前記映像光出射口に開閉自在に装着され、前記投射レンズを保護するレンズカバーとを備え、
前記レンズカバーは、音声信号を受けて音声を出力するスピーカーを備える、
投射型表示装置。
【請求項２】
前記筐体上に配置され回動可能な回動部をさらに備え、
前記レンズカバーは、前記回動部を介して前記筐体上に配置される、
請求項１に記載の投射型表示装置。            
【請求項３】
前記レンズカバーは、前記筐体と着脱可能であり、
前記筐体上に配置され、脱離した前記レンズカバーと連結可能なコネクターをさらに備える、
請求項１に記載の投射型表示装置。
【請求項４】
前記コネクターを複数備える、
請求項３に記載の投射型表示装置。
【発明の詳細な説明】
【技術分野】
【０００１】
本発明は投射型表示装置に関し、特に投射型表示装置の投射レンズを保護するレンズカバーを備えた投射型表示装置に関する。
【背景技術】
【０００２】
従来、投射型表示装置、例えば表示デバイスを液晶パネルとした投射型表示装置は、光源用ランプより発光されリフレクタで反射された光を複数のダイクロイックミラーを介して所定の色光に分光し、各色光を偏光ビームスプリッタを介して各Ｒ、Ｇ、Ｂの色光に対応する液晶パネルに入光して映像信号等で変調した後、各色光をダイクロイックミラーやダイクロイックプリズムを介して集光し、投射レンズよりスクリーン上に投影するようになっている。このように、光源用ランプ、光学部品、液晶パネルなどの表示デバイスおよび映像等を制御する制御基板、電源基板等を筐体内に収容し、同筐体の前部に投射レンズを配置して投射型表示装置を構成している。
【０００３】
また、多くの投射型表示装置は外部から入力された音声信号を音声として出力する為のスピーカーを備えている。
【０００４】
更に投射型表示装置の非動作時は、投射レンズを保護するため、あるいは防塵のために投射レンズにレンズキャップをしたり、前面にレンズカバーを被せるようにしている。
【０００５】
従来の投射型表示装置において、投射型表示装置本体の前面や後面、側面、天面のいずれかひとつの面にスピーカーがひとつ備えられたもの、更には投射型表示装置本体の複数の面にスピーカーを複数個備えられたものが知られている。
【０００６】
上記の様な従来の投射型表示装置で、その設置状況によってはスピーカーが配置された面が視聴者の方を向いていないために、スピーカーから発せられる音声が視聴者に適切に届かないという問題があった。
【０００７】
また、その問題を解決するため投射型表示装置の複数面に複数個のスピーカーが備えられた場合には、視聴者の方に音声を届けることは可能であるが、複数個のスピーカーを配置する為のスペースが必要となりコンパクトな筐体設計の妨げになると共にコストも増大してしまう。また、スピーカーの前面は音声を筐体外部に放出する必要があるため、筐体に開口部を設ける必要がある。複数のスピーカーを設ける場合には筐体外部に開口部を多数配置する必要がある為、投射型表示装置の意匠デザイン上の制約にもなってしまう。また、開口部から指や異物が誤って進入する可能性もあり、開口部を多く設けることは安全面からも問題がある。
【０００８】
この対策のため、指向性音響スピーカーを搭載したプロジェクタでプロジェクタの設置方向とスクリーンの位置情報を取得する位置情報取得手段と、前記位置情報に基づいて、指向性音響スピーカーから放射される音波の反射波が所望の方向に向かうようにスクリーンを回転させるための回転命令実行手段とを備えたもの（例えば、特許文献１）や、スピーカーの前面に面状のカバー部材を配置して筐体の開口部を露出させないようにしたものが提案されている（例えば、特許文献２）。
【先行技術文献】
【特許文献】
【０００９】
【特許文献１】特開２００５−２２７４４９号公報（図１、図４）
【特許文献２】特開２００６−７２０３６号公報（図１、図２）
【発明の概要】
【発明が解決しようとする課題】
【００１０】
しかし特許文献１の技術では、投射型表示装置以外にもセンサや透明反射板等を準備する必要があり、その設置に手間とコストがかかるという課題があった。
【００１１】
また、特許文献２の技術ではスピーカーのカバー部材を配置する必要があり、このカバー部材自体が意匠デザイン上の制約になるばかりか、複数面にスピーカーを配置した場合複数のカバー部材が必要になるという課題があった。
【００１２】
本発明は上述の問題を解決すべくなされたものであり、コストの増大を抑え、意匠デザイン上の制約とならず、かつ適切な視聴が可能な投射型表示装置を提供することを目的とする。
【課題を解決するための手段】
【００１３】
この発明にかかる投射型表示装置は、投射レンズが配置された映像光出射口を有する筐体と、前記映像光出射口に開閉自在に装着され、前記投射レンズを保護するレンズカバーとを備え、前記レンズカバーは、音声信号を受けて音声を出力するスピーカーを備える。
【発明の効果】
【００１４】
この発明にかかる投射型表示装置によれば、投射レンズが配置された映像光出射口を有する筐体と、前記映像光出射口に開閉自在に装着され、前記投射レンズを保護するレンズカバーとを備え、前記レンズカバーは、音声信号を受けて音声を出力するスピーカーを備えることにより、スピーカーの設置によるコストの増大を抑え、意匠デザイン上の制約とならず、かつ適切な視聴が可能となる。
【図面の簡単な説明】
【００１５】
【図１】この発明の実施の形態１を示す斜視図である。
【図２】この発明の実施の形態２を示す斜視図である。
【図３】この発明の実施の形態２の使用状態の一例を示す斜視図である。
【発明を実施するための形態】
【００１６】
＜Ａ．実施の形態１＞
＜Ａ−１．構成＞
図１は本発明の投射型表示装置の実施の形態１を説明するための斜視図である。図１に基づいて説明する。投射型表示装置１は、筐体２前部に投射レンズ３が配置された映像光出射口１００を備え、筐体２内に、図示しない光源用ランプと、リフレクタやミラーやプリズム等の光学部品と、液晶パネルのような表示デバイス等とを配置して光路を形成し、映像光出射口１００の投射レンズ３を介して前方のスクリーン上に映像等を投影する。
【００１７】
実施の形態１における投射型表示装置１においては、筐体２前部の投射レンズ３を保護するためのレンズカバー４が映像光出射口１００に開閉自在に装着されており、またレンズカバー４には、外部から入力された音声信号を音声として出力する為のスピーカー５が備えられている。
【００１８】
音声信号を受けて音声を出力するスピーカー付のレンズカバー４は、上方に開くように連結するための回動部６が投射レンズ３が配置された映像光出射口１００の上方の筐体２に設けられ、更に回動部６は水平に回動するためのもうひとつの回動部７とも連結されている。これらの回動部６、７が回動することにより、回動部６、７を介して筐体２に配置される、投射レンズ３を保護するスピーカー付のレンズカバー４は、投射のために投射レンズ３を露出させた上で自在に向きを変えたり保護の為に投射レンズ３を覆う事が可能になる。
【００１９】
投射レンズ３を保護するために覆うときは、スピーカー付のレンズカバー４に設けられている係合爪８ａが筐体２側の係合孔９ａに係合されて固定される。また、投射レンズ３を使用する際には、回動部６を中心にレンズカバー４を上方に回転させることにより投射レンズ３を露出させることができる。
【００２０】
レンズカバー４を上方に回転させて投射レンズ３を露出させた後に回動部７によりレンズカバー４を水平方向に回転させることで、レンズカバー４に備えられたスピーカー５を水平方向３６０°あらゆる方向に向けることが可能となる。よって、視聴者がいる方向に合わせてスピーカー５の方向を調整することができ、視聴者に適切な視聴をさせることができる。
【００２１】
特に投射型表示装置１を天吊り状態（ここでは図１に示す天板２１が鉛直下方向になるような状態をいう）にて使用する場合には、レンズカバー４を回動部６を中心に上方に回転させて投射型表示装置１の天板２１まで移動させることにより、レンズカバー４に設けられている係合爪８が筐体２側の係合孔９に係合され確実に固定することが可能となる。
【００２２】
また、スピーカー付のレンズカバー４は、リード線等の線材により筐体２内の図示しない電気回路と接続されており、外部から入力された音声信号を音声として出力するための信号をスピーカー５に伝達することが出来る。
【００２３】
＜Ａ−２．動作＞
次に、動作について説明する。スピーカー付のレンズカバー４が投射レンズ３を覆う位置にあるとき、すなわち投射型表示装置１を使用しないときには、スピーカー付のレンズカバー４の係合爪８ａが筐体２側の係合孔９ａと係合し保持される。この状態により投射レンズ３を保護することが可能となる。
【００２４】
次にレンズカバー４が投射レンズ３を露出させる位置にあるとき、すなわち投射型表示装置１を使用するときには、レンズカバー４を筐体２に設けられた回動部６により上方に開くことで、レンズカバー４に備えられたスピーカー５が前面に露出されることになる。更にレンズカバー４は回動部６に連結されたもうひとつの回動部７により水平方向に回転させることが出来るので、レンズカバー４に備えられたスピーカー５を水平方向３６０°あらゆる方向に向けることが可能となる。
【００２５】
更に、投射型表示装置１を天吊り状態（図１に示す天板２１が鉛直下方向になるような状態をいう）にて使用する場合には視聴者は投射型表示装置１の天板２１と相対することになるので、スピーカー付のレンズカバー４の係合爪８と筐体２側の係合孔９とを係合させ保持することで、スピーカー５を視聴者の方に向けて固定することが可能となる。
【００２６】
この実施の形態１によれば、スピーカー付のレンズカバー４が投射レンズ３を覆う位置にあるとき、すなわち投射型表示装置１を使用しないときには、従来のスピーカー５の配置スペースとしては使用しなかったスペースをスピーカー５の収納場所として活用できるので、投射型表示装置１本体内部のスペースおよび筐体２上のスペースをスピーカー５のために割く必要がなく、意匠デザイン上の制約なく、また投射型表示装置１本体を小型化できるという効果がある。
【００２７】
また、スピーカー５が回動部６、７を介してその方向を変更することが可能であるので、複数のスピーカー５を設け視聴者の方向に対応する必要がなく、スピーカー５を複数個設置する場合と比較してコスト削減にも寄与する。
【００２８】
また、スピーカー５の設置場所に制約がなくなり、より使いやすい投射型表示装置１を提供することが可能となる。
【００２９】
なお、スピーカー付のレンズカバー４と筐体２との係合は係合爪によらなくても良く、例えば磁力や回動部の摩擦抵抗を高く設定するなどして投射レンズ３を露出する位置に保持できれば良い。
【００３０】
＜Ａ−３．効果＞
この発明にかかる実施の形態１によれば、投射型表示装置において、投射レンズ３が配置された映像光出射口１００を有する筐体２と、映像光出射口１００に開閉自在に装着され、投射レンズ３を保護するレンズカバー４とを備え、レンズカバー４は、音声信号を受けて音声を出力するスピーカー５を備えることで、投射型表示装置１の筐体２に別途スピーカーを配置する必要がなく、コストの増大を抑え、意匠デザイン上の制約もなくすことができる。また、投射型表示装置１本体を小型化することもできる。
【００３１】
また、この発明にかかる実施の形態１によれば、投射型表示装置において、投射レンズ３が配置された映像光出射口１００を有する筐体２上に配置され、回動可能な回動部６、７をさらに備え、映像光出射口１００に開閉自在に装着され、投射レンズ３を保護するレンズカバー４は、回動部６、７を介して筐体２上に配置されることで、投射型表示装置１の使用、設置状況に応じてレンズカバー４に備えられたスピーカー５の位置、向きを変えられるので、ひとつのスピーカー５で常に視聴者が良好な状態で視聴可能となる。
【００３２】
＜Ｂ．実施の形態２＞
＜Ｂ−１．構成＞
図２、３は本発明の投射型表示装置の実施の形態２を説明するための斜視図である。
【００３３】
図２、３において投射型表示装置１は、図１と同一の構成については同じ符号を付し、詳細な説明は省略する。スピーカー付のレンズカバー４は、投射型表示装置１の筐体２と取り外し可能な構成となっており、また実施の形態１の場合に比べ、さらに投射型表示装置１と構造的・電気的に連結が可能なコネクター１０を備えている。
【００３４】
また、投射型表示装置１の、投射レンズ３が配置された映像光出射口１００を有する筐体２側には、筐体２から脱離したレンズカバー４のコネクター１０と構造的・電気的に連結するための複数のコネクター１１（図２）、１１ａ（図３）が、例えばそれぞれ天板２１とその側面とに備えられている。
【００３５】
＜Ｂ−２．動作＞
次に、動作について説明する。スピーカー付のレンズカバー４が投射レンズ３を覆う位置にあるとき、すなわち投射型表示装置１を使用しないときには、レンズカバー４と投射レンズ３は映像光出射口１００の円筒部で嵌合されて保持されている。この状態により投射レンズ３を保護することが可能となる。
【００３６】
次に投射型表示装置１を使用するときには、レンズカバー４を投射レンズ３から取り外し、レンズカバー４のコネクター１０と投射型表示装置１の本体側のコネクター１１（図２参照）または１１ａ（図３参照）とを連結させることにより、レンズカバー４を投射型表示装置１本体に固定できるとともに、レンズカバー４に備えられたスピーカー５を視聴者の方に向けることが可能となる。
【００３７】
投射型表示装置１を天吊り状態にて使用する場合には、図３のようにスピーカー付のレンズカバー４を天板２１、すなわちスピーカー５を床面方向に固定するために投射型表示装置１のコネクター１１（図２参照）に固定すればよい。
【００３８】
この実施の形態２によれば、スピーカー付のレンズカバー４を投射型表示装置１の任意の位置に確実に固定することが可能となる。特に投射型表示装置１を天吊り等の所定の位置に恒久的に設置する場合にレンズカバー４に備えられたスピーカー５の設置位置を使用者が自由に選択し恒久的に確実な固定が可能となる。
【００３９】
なお、投射型表示装置１の本体側に設置するコネクター後面、天面の２ヶ所だけではなく前面、左右面にそれぞれ、または全部の面に設置することが可能である。
【００４０】
また、コネクターをそれに連結するレンズカバー４が回動可能なものにすれば、コネクターを複数設けない場合でもレンズカバー４に備わるスピーカー５の方向を変更することが可能であるので、あらゆる方向の視聴者の適切な視聴が可能となる。
【００４１】
＜Ｂ−３．効果＞
この発明にかかる実施の形態２によれば、投射型表示装置において、映像光出射口１００に開閉自在に装着され、投射レンズ３を保護するレンズカバー４は、投射レンズ３が配置された映像光出射口１００を有する筐体２と着脱可能であり、筐体２上に配置され、脱離したレンズカバー４と連結可能なコネクター１１、１１ａをさらに備えることで、視聴者のいる方向に合わせてコネクター１１または１１ａを使い分け、レンズカバー４に備えられたスピーカー５の向く方向を変更できるので、適切な視聴が可能となる。
【００４２】
また、この発明にかかる実施の形態２によれば、投射型表示装置において、筐体２上に配置され、脱離したレンズカバー４と連結可能なコネクターを複数備えることで、視聴者のいる方向に合わせたレンズカバー４に備えられたスピーカー５の配置が可能となり、適切な視聴が可能となる。
【符号の説明】
【００４３】
１  投射型表示装置、２  筐体、３  投射レンズ、４  レンズカバー、５  スピーカー、６，７  回動部、８，８ａ  係合爪、９，９ａ  係合孔、１０，１１，１１ａ  コネクター、２１  天板、１００  映像光出射口。
【図１】
2011022225.tif 000003
【図２】
2011022225.tif 000004
【図３】
2011022225.tif 000005